(57)【要約】【課題】良好な施工性と十分な強度および剛性が確保できる壁構造体を提供すること。【解決手段】並設した複数のブロック材１０と左右の縦内枠９とが連結部材４０を介して連結されることで、内枠体６とブロック材１０とが一体化され、これらの連結強度を向上させることができる。従って、壁構造体としての強度や剛性を向上させることができ、外力が作用した際の撓みや振動を抑制することができる。さらに、内枠体６とブロック材１０とが一体化されることで、予め建物躯体等に固定しておいた外枠体に対し、一体化した内枠体６およびブロック材１０を建て込む施工手順が採用でき、運搬や建て込みの作業性を向上させることができる。【選択図】図７
2010203058.tif 000002
【特許請求の範囲】
【請求項１】
上下、左右または上下左右に並設される複数のブロック材と、これらの並設されるブロック材の外周端縁に沿って設けられる枠材とを備えた壁構造体であって、
前記ブロック材は、見込み方向の一方および他方に表出する一対の側面と、これらの二側面に交差して見込み方向に延びる４つの見込み面とを有して形成され、前記４つの見込み面は、それぞれ互いに対向する一対ずつの第１見込み面および第２見込み面で構成され、当該ブロック材同士は、少なくとも前記第１見込み面を対向させて並設され、
前記第１見込み面における四隅には、その表面から突出するとともに前記第２見込み面の側に開口する係合部が形成され、
前記第１見込み面を対向させて並設されかつ前記枠材に沿って設けられるブロック材同士は、前記係合部に挿入される連結部材を介して連結されるとともに、当該連結部材と固着する固着具を介して前記枠材とブロック材とが連結されている壁構造体。
【請求項２】
前記連結部材は、前記並設されるブロック材の前記係合部に渡って挿入される係合片を見込み方向一方側および他方側の一対で備え、
前記一対の係合片の間には、前記係合部に係止可能な係止片が設けられ、この係止片と前記係合部との係止状態において、当該係止片の移動が前記固着具によって規制される請求項１に記載の壁構造体。
【請求項３】
前記ブロック材は、見込み方向一方側の第１ブロックと、見込み方向他方側の第２ブロックとを有して構成され、
前記第１および第２のブロックは、それぞれ対角方向の対称位置に各一対の凸部および凹部を有して形成されるとともに、これらの凸部と凹部とを嵌合させて組み合わされている請求項１または請求項２に記載の壁構造体。
【請求項４】
前記並設されるブロック材間には、前記側面同士の隙間を塞ぐ目地材が設けられており、
前記ブロック材における側面の四周には、前記見込み面よりも外方に突出した突出片が形成され、この突出片と前記係合部との間に前記目地材が支持されている請求項１から請求項３のいずれかに記載の壁構造体。
【請求項５】
前記枠材は、その見付け方向外側に設けられる外枠材に支持され、
前記外枠材は、見込み方向の一方側から前記枠材に当接する当接片と、見込み方向他方側に着脱可能に設けられて前記枠材と固定可能な取付片とを有して構成されている請求項１から請求項４のいずれかに記載の壁構造体。
【発明の詳細な説明】
【技術分野】
【０００１】
本発明は、壁構造体に関し、詳しくは、並設される複数のブロック材と、そのブロック材の外周端縁に沿って設けられる枠材とを備えた壁構造体に関する。
【背景技術】
【０００２】
従来、複数のブロック材を並設して構成される壁構造体として、中空直方体状のガラスブロックを上下左右に並べて積み重ねたガラスブロック壁が知られている。一般的なガラスブロック壁では、目地モルタルなどを介してガラスブロック同士が連結され、縦方向の目地モルタル内部に設けた鉄筋などによって補強されている。このようなモルタル等を用いた湿式工法のガラスブロック壁では、モルタルを介在させながらガラスブロックを積み上げるため施工手間が掛かるとともに施工精度も低くなり、またモルタルが硬化するまでの期間中、養生しておく必要があって工期が長期化してしまう。
一方、ガラスブロックを用いずに樹脂製のブロックを用い、これらのブロック同士を機械的に係合させて積み上げる乾式工法のブロック壁が提案されている（例えば、特許文献１参照）。特許文献１に記載されたブロック壁では、ブロックの四隅に突出部を形成しておき、上下左右のブロックの突出部に渡ってその窪みに接続片を挿入することでブロック同士を連結するように構成されている。
【先行技術文献】
【特許文献】
【０００３】
【特許文献１】特許第３１１１０８５号公報
【発明の概要】
【発明が解決しようとする課題】
【０００４】
しかしながら、特許文献１に記載された従来のブロック壁では、並設されるブロックの外周に沿ってレール状の固定材が設けられ、この固定材の突条にブロックの溝部を挿通することで、固定材とブロックとを嵌合させるようになっているものの、このような構造では、外周においてブロック同士が連結されておらず、かつ固定材の長手方向に沿って各ブロックが拘束されないことから、壁構造体として十分な強度や剛性が確保できないという問題がある。
【０００５】
本発明の目的は、良好な施工性と十分な強度および剛性が確保できる壁構造体を提供することにある。
【課題を解決するための手段】
【０００６】
本発明の壁構造体は、上下、左右または上下左右に並設される複数のブロック材と、これらの並設されるブロック材の外周端縁に沿って設けられる枠材とを備えた壁構造体であって、前記ブロック材は、見込み方向の一方および他方に表出する一対の側面と、これらの二側面に交差して見込み方向に延びる４つの見込み面とを有して形成され、前記４つの見込み面は、それぞれ互いに対向する一対ずつの第１見込み面および第２見込み面で構成され、当該ブロック材同士は、少なくとも前記第１見込み面を対向させて並設され、前記第１見込み面における四隅には、その表面から突出するとともに前記第２見込み面の側に開口する係合部が形成され、前記第１見込み面を対向させて並設されかつ前記枠材に沿って設けられるブロック材同士は、前記係合部に挿入される連結部材を介して連結されるとともに、当該連結部材と固着する固着具を介して前記枠材とブロック材とが連結されていることを特徴とする。
【０００７】
以上の本発明によれば、第１見込み面の四隅に形成した係合部を介してブロック材を連結することで、モルタルや接着材などの湿式工法を不要にして乾式工法で施工できることにより、工期短縮を図って施工性を高めることができる。また、並設したブロック材の外周において、係合部に渡る連結部材を介してブロック材同士が連結され、かつ連結部材および固着具を介してブロック材と枠材とが連結されることで、ブロック材同士の連結強度を高めることができるとともに、ブロック材と枠材との連結強度も向上させることができる。従って、壁構造体としての強度や剛性を向上させることができ、外力が作用した際の撓みや振動を抑制することができる。さらに、連結部材を介してブロック材と枠材とが連結されることで、ブロック材および枠材を一体化してから、この壁構造体を所定の設置場所に建て込むような施工手順も採用することができ、その場合にもブロック材と枠材とが強固に連結されていることで、運搬や建て込みの作業性を向上させることができる。
【０００８】
この際、本発明の壁構造体では、前記連結部材は、前記並設されるブロック材の前記係合部に渡って挿入される係合片を見込み方向一方側および他方側の一対で備え、前記一対の係合片の間には、前記係合部に係止可能な係止片が設けられ、この係止片と前記係合部との係止状態において、当該係止片の移動が前記固着具によって規制されることが好ましい。
このような構成によれば、係合部に係止した係止片の移動を固着具によって規制することで、係止状態が維持されて連結部材の抜け出しが防止できるので、ブロック材同士およびブロック材と枠材との連結状態が確保できる。
【０００９】
さらに、本発明の壁構造体では、前記ブロック材は、見込み方向一方側の第１ブロックと、見込み方向他方側の第２ブロックとを有して構成され、前記第１および第２のブロックは、それぞれ対角方向の対称位置に各一対の凸部および凹部を有して形成されるとともに、これらの凸部と凹部とを嵌合させて組み合わされているることが好ましい。
このような構成によれば、対角方向の対称位置に設けた凸部および凹部を嵌合させて第１および第２のブロックを組み合わせることで、これら第１および第２のブロックを同一形状の部材から構成することができ、ブロック材を成形するための金型などの製造装置が共通化できる。さらに、第１および第２のブロックを組み合わせたブロック材を同一の向きで並設すれば、並設したブロック材において隣り合う凹凸嵌合が互いに逆向きとなって補い合うことから、ブロック同士の組み合わせ方向（見込み方向）と交差する方向（上下方向など）へのずれを防止することができ、交差方向に沿った壁構造体としての強度や剛性も確保することができる。
【００１０】
また、本発明の壁構造体では、前記並設されるブロック材間には、前記側面同士の隙間を塞ぐ目地材が設けられており、前記ブロック材における側面の四周には、前記見込み面よりも外方に突出した突出片が形成され、この突出片と前記係合部との間に前記目地材が支持されていることが好ましい。
このような構成によれば、ブロック材の側面に形成した突出片よりも壁の内部側に目地材が位置することから、目地材の端縁を突出片で覆うことができ、縦横の目地材同士の突合せ部分が目立たなくできて、意匠性を向上させることができる。また、突出片と係合部との間に目地材を挿入することで、目地材によって係合部を覆うことができ、壁構造体の正面から係合部が見えないまたは目立たなくでき、これによっても意匠性を向上させることができる。
【００１１】
また、本発明の壁構造体では、前記枠材は、その見付け方向外側に設けられる外枠材に支持され、前記外枠材は、見込み方向の一方側から前記枠材に当接する当接片と、見込み方向他方側に着脱可能に設けられて前記枠材と固定可能な取付片とを有して構成されていることが好ましい。
このような構成によれば、枠材を支持する外枠材が当接片と取付片とを有し、取付片が見込み方向他方側から着脱可能に設けられていることで、外枠材を建物躯体等に固定しておき、この外枠材の当接片にブロック材と一体化した枠材を当接させた状態で、取付片を外枠材に取り付けて枠材と固定するような施工手順が採用できる。従って、予めブロック材および枠材を作業性のよい場所で一体化しておき、一方で外枠材を建物躯体等に固定しておくことで、それぞれの取付精度を高めつつ作業性が良好にでき、施工性をより一層向上させることができる。
【発明の効果】
【００１２】
以上のような本発明の壁構造体によれば、ブロック材を乾式工法で施工することができるので施工性が良好にできるとともに、ブロック材と枠材とが連結部材および固着具を介して連結されることで、壁構造体としての強度や剛性を向上させることができる。
【図面の簡単な説明】
【００１３】
【図１】本発明の実施形態に係る壁構造体を示す正面図である。
【図２】前記壁構造体を示す縦断面図である。
【図３】前記壁構造体を示す横断面図である。
【図４】前記壁構造体を構成するブロック材の分解斜視図である。
【図５】前記ブロック材の連結手順を示す斜視図である。
【図６】前記ブロック材の施工手順を示す斜視図である。
【図７】前記ブロック材と枠材との連結構造を示す斜視図である。
【図８】前記連結構造を示す横断面図である。
【図９】前記連結構造に用いる連結部材を示す斜視図である。
【図１０】前記壁構造体の外枠部分を拡大して示す横断面図である。
【図１１】前記外枠部分を断面して示す斜視図である。
【図１２】本発明の変形例に係る壁構造体を示す分解斜視図である。
【発明を実施するための形態】
【００１４】
以下、本発明の実施形態を図面に基づいて説明する。
図１は、本発明の実施形態に係る壁構造体としてのパーティション１を示す正面図である。図２および図３は、それぞれパーティション１を示す縦断面図および横断面図であり、図２は、図１に矢視II−II線で示す断面図であり、図３は、図１に矢視III−III線で示す断面図である。
【００１５】
図１〜図３において、パーティション１は、一方側の空間としての第１空間と、他方側の空間としての第２空間とを仕切る間仕切り壁であって、建物躯体等に固定される外枠体２と、この外枠体２の内側に支持される内枠体６と、この内枠体６の内側に支持されて上下左右に並設される複数のブロック材１０とを備えて構成されている。ここで、第１空間および第２空間としては、それぞれが建物内部の空間であってもよく、またそれぞれが建物外部の空間であってもよく、さらには一方が建物内部の空間で他方が建物外部の空間であってもよい。外枠体２は、それぞれアルミ形材製の外枠材である上外枠３、下外枠４および左右の縦外枠５を四周枠組みして構成され、これらの外枠材としての上外枠３、下外枠４および縦外枠５の各見付け方向内側に内枠体６がビス止めによって固定されている。内枠体６は、並設されるブロック材１０の外周端縁に沿って設けられ、それぞれアルミ形材製の上内枠７、下内枠８および左右の縦内枠（枠材）９を有して構成されている。
【００１６】
ブロック材１０は、図４にも示すように、アクリル等の合成樹脂製の第１ブロック１１と第２ブロック１２とを組み合わせて全体直方体状かつ中空状に形成され、第１空間側に表出する第１側面１３および第２空間側に表出する第２側面１４と、これら第１および第２の側面１３，１４に直交して見込み方向に延びる各一対の第１見込み面１５および第２見込み面１６とを有して構成されている。そして、本実施形態では、一対の第１見込み面１５が互いに上下に対向し、一対の第２見込み面１６が互いに左右に対向するように、各ブロック材１０が同一の向きで配置されている。第１側面１３および第２側面１４の四周端縁には、第１見込み面１５および第２見込み面１６よりも見付け方向外側に突出する突出片１３１，１４１が形成され、上下左右に隣り合うブロック材１０の突出片１３１，１４１同士は、所定の目地間隔だけ離れて対向し、この目地内部には、目地材３０が設けられている。
【００１７】
また、第１ブロック１１と第２ブロック１２とは、互いに同一形状の部材で構成され表裏対称に形成され、これらの対向面側の四隅には、それぞれ対角方向の対称位置に各一対の凸部１７および凹部１８が設けられ、これらの凸部１７と凹部１８とを嵌合させることで互いに組み合わされている。ここで、第１ブロック１１と第２ブロック１２とは、互いに接着などによって固定されておらず、凸部１７と凹部１８との嵌合のみで組み合わされるようになっている。そして、対角方向に対称な凸部１７と凹部１８とを嵌合させて第１および第２のブロック１１，１２を組み合わせ、このブロック材１０を同一の向きで並設する、つまり隣り合う第１ブロック１１同士の凸部１７と凹部１８とが隣接し、隣り合う第２ブロック１２同士の凸部１７と凹部１８とが隣接するように並設することで、隣り合う凹凸嵌合が互いに逆向きとなって補い合うことから、上下方向や左右方向へのブロック同士のずれを防止することができるようになっている。なお、ここでは第１および第２のブロック１１，１２同士を接合しない構成を説明したが、必要に応じて第１ブロック１１と第２ブロック１２とを接着剤などで互いに接着してもよいし、適宜な固着具で互いに固着して接合してもよい。
【００１８】
ブロック材１０の第１見込み面１５には、図５にも示すように、その表面から突出する係合部１９が四隅に形成されている。この係合部１９は、中空状に形成されて第２見込み面１６の側に開口する係合開口１９１と、この係合開口１９１に連続して当該係合部１９の上面に開口する挿通溝１９２とを有して形成されている。そして、係合部１９には、結合材２０が挿通可能になっており、この結合材２０を介して隣り合うブロック材１０同士が連結されるようになっている。結合材２０は、樹脂製で断面略Ｈ形の短尺棒状部材からなり、上下一対のフランジ部２１と、これらに渡るウェブ部２２とを有して形成されている。フランジ部２１は、係合部１９の係合開口１９１から挿入可能で、かつ挿通溝１９２には挿通不能な寸法で形成され、ウェブ部２２は、挿通溝１９２に挿通可能な寸法で形成されている。
【００１９】
このような結合材２０の上側のフランジ部２１を上側のブロック材１０における係合部１９の係合開口１９１から挿入し、下側のフランジ部２１を下側のブロック材１０における係合部１９の係合開口１９１から挿入するとともに、ウェブ部２２を上下の係合部１９の挿通溝１９２に挿通させることで、上下のブロック材１０が連結される。さらに、左右に突出した結合材２０に係合部１９を係合させることで、左右のブロック材１０が連結されるようになっている。また、図２に示すように、上内枠７には下方に開口した一対の溝が形成され、この溝を形成する係合片７Ａが結合材２０と係合することで、並設したブロック材１０の上端縁に沿って上内枠７が連結され、下内枠８には上方に開口した一対の溝が形成され、この溝を形成する係合片８Ａが結合材２０と係合することで、並設したブロック材１０の下端縁に沿って下内枠８が連結されるようになっている。
【００２０】
また、上下左右に並設されたブロック材１０において、上下に隣り合うブロック材１０同士は、互いの係合部１９の上下面が当接することで上下の突出片１３１，１４１間に所定の隙間（横目地）が形成され、左右に隣り合うブロック材１０同士は、互いの係合部１９の係合開口１９１側の端面が当接することで左右の突出片１３１，１４１間に所定の隙間（縦目地）が形成されている。これらの縦目地および横目地内部に設けられる目地材３０は、図６に示すように、左右に隣り合うブロック材１０間にて上下に延びる縦目地材３０Ａと、上下に隣り合うブロック材１０間にて左右に延びる横目地材３０Ｂとを有して構成されている。これらの目地材３０は、アルミ形材製の長尺部材で形成され、不透明であることから、ブロック材１０の係合部１９や結合材２０を隠蔽し、これらがパーティション１の正面から見えないようになっている。なお、目地材３０は、アルミ形材製などの不透明部材に限らず、透明や半透明、色付きなどの樹脂製であってもよく、透明や半透明の目地材３０を用いれば、この目地材３０部分にも光を透過させることができ、パーティション１の意匠性を向上させることができる。
【００２１】
縦目地材３０Ａは、上内枠７から下内枠８に至る上下に連続した長さ寸法に形成され、横目地材３０Ｂは、各ブロック材１０の幅ごとに分割された長さ寸法に形成されており、横目地材３０Ｂの左右両端縁が縦目地材３０Ａの側面に当接して位置決めされている。そして、縦目地材３０Ａおよび横目地材３０Ｂは、それぞれブロック材１０の突出片１３１，１４１と係合部１９との間に挿通されており、すなわち縦目地材３０Ａおよび横目地材３０Ｂの長手方向に沿った端縁は、突出片１３１，１４１に覆われて当該パーティション１の正面からは見えないようになっている。さらに、目地材３０には、突出片１３１，１４１間の目地を通して見える部分にＲ状の凹溝３１が形成されており、縦目地材３０Ａの側面に当接する横目地材３０Ｂの端縁が目立たず、一体的な目地材３０に見えることから、パーティション１の意匠性がさらに向上できるようになっている。
【００２２】
以上のように並設されたブロック材１０の左右の外周端縁において、上下に隣り合うブロック材１０同士、これらのブロック材１０と縦内枠９とは、図７〜図９に示すように、連結部材４０で互いに連結されている。縦内枠９は、見込み方向に延びる第１面部９１と、この第１面部９１の見込み方向一方側（第１空間側）に連続して見付け方向に延びる第２面部９２と、第１面部９１の見込み方向他方側（第２空間側）に連続して見付け方向に延びる第３面部９３とを有して断面略Ｈ字形に形成されている。連結部材４０は、樹脂製の一体成形部品であって、縦内枠９の第１面部９１に沿って設けられる連結見込み面４１と、この連結見込み面４１の見込み方向一方側および他方側に連続して見付け方向に突出する一対の連結係合片４２と、これら一対の連結係合片４２間にて連結見込み面４１から見付け方向に突出する一対の連結係止片４３とを有して形成されている。この連結部材４０は、連結見込み面４１が縦内枠９の第１面部９１に沿った状態において、第１面部９１を見付け方向外側から貫通する固着具としてのビス４９を連結見込み面４１に螺合することによって縦内枠９に固定されるようになっている。
【００２３】
連結部材４０の連結係合片４２は、係合部１９の係合開口１９１から挿入可能かつ挿通溝１９２には挿通不能な上下のフランジ部４４と、これらのフランジ部４４を連結して係合部１９の挿通溝１９２に挿通可能なウェブ部４５とを有して断面略Ｃ字形に形成されている。このような連結部材４０の上側のフランジ部４４を上側のブロック材１０における係合部１９の係合開口１９１から挿入し、下側のフランジ部４４を下側のブロック材１０における係合部１９の係合開口１９１から挿入するとともに、ウェブ部４５を上下の係合部１９の挿通溝１９２に挿通させることで、上下のブロック材１０が連結されるようになっている。また、連結係止片４３は、その先端から折れ曲がって突出し係合部１９の背面側に係止可能な折り曲げ部４６と、当該連結係止片４３から他方の連結係止片４３に向かって突出する突出部４７とを有して形成されている。一対の連結係止片４３は、連結見込み面４１に螺合したビス４９によって突出部４７が押し出されることで、互いに離れる方向に変形して折り曲げ部４６で係合部１９を係止するとともに、ビス４９によって接近方向への移動が規制されることで係合部１９との係止状態が維持されるようになっている。
【００２４】
以上のような連結部材４０によれば、その連結係合片４２によって上下のブロック材１０が連結されるとともに、ビス４９を介して縦内枠９と連結部材４０とが連結され、さらに連結係止片４３と係合部１９との係止によって、連結部材４０とブロック材１０との連結状態が維持され、上下に並設されるブロック材１０と縦内枠９とが一体化できるようになっている。すなわち、上下左右に並設されたブロック材１０は、結合材２０を介してブロック材１０同士が連結されるとともに、その上端縁に結合材２０を介して上内枠７が連結され、上端縁に結合材２０を介して下内枠８が連結され、左右の側端縁に連結部材４０を介して縦内枠９が連結されており、これらの上内枠７、下内枠８および左右の縦内枠９からなる内枠体６によって四周が囲まれた状態で組み立てられるようになっている。
【００２５】
以上のように組み立てられた内枠体６および複数のブロック材１０と外枠体２との固定構造について、図１０および図１１も参照して説明する。なお、ここでは、外枠体２の縦外枠５を例示して説明するが、上外枠３および下外枠４における固定構造も縦外枠５と略同様である。
縦外枠５は、矩形中空状の縦外枠本体５１と、この縦外枠本体５１の見込み方向一方側（第１空間側）に連続して見付け方向に延びて折れ曲がった当接片としての当接面部５２と、縦外枠本体５１の見込み方向他方側（第２空間側）に連続して見込み方向に延びる突出面部５３とを有し、突出面部５３の基端部となる縦外枠本体５１の見付け方向内側面には、係合溝部５４が形成されている。また、縦外枠５は、係合溝部５４に係合されて着脱可能に設けられる取付片としてのアタッチメント５５と、このアタッチメント５５を縦内枠９の第３面部９３に固定するビス５６と、このビス５６の頭部を覆うカバー部材５７とを有して構成されている。
【００２６】
アタッチメント５５は、アルミ形材製であって、係合溝部５４に係合される被係合部５５１と、カバー部材５７を係止する一対の係止片５５２，５５３とを有して形成され、第２空間側から斜め方向に被係合部５５１を係合溝部５４に挿入してから回動させることで、縦外枠本体５１に取り付けられ、当該アタッチメント５５を貫通させたビス５６を縦内枠９の第３面部９３に螺合することで、縦内枠９に固定されるようになっている。また、カバー部材５７は、アルミ形材製であって、ビス５６の頭部を覆うカバー面５７１と、このカバー面５７１に連続して見付け方向外側に延びて縦外枠５の突出面部５３に当接する延出片５７２と、アタッチメント５５の係止片５５２，５５３に係止される一対の被係止片５７３，５７４とを有して形成されている。
【００２７】
以上の外枠体２に対して、前述のように複数のブロック材１０と一体化した内枠体６を見込み方向他方側（第２空間側）から建て込み、縦内枠９の第２面部９２を縦外枠５の当接面部５２に当接させるとともに、アタッチメント５５を縦外枠５の係合溝部５４に係合させてからビス５６で縦内枠９の第３面部９３に固定することで、ブロック材１０および内枠体６と外枠体２とが固定されるようになっている。さらに、カバー部材５７をアタッチメント５５に係合させることで、このカバー部材５７でビス５６の頭部を覆って見えないようにでき、パーティション１の外観が良好にできるようになっている。一方、カバー部材５７およびビス５６を外すことで、ブロック材１０および内枠体６を外枠体２から取り外すことができ、ブロック材１０のメンテナンスや交換が容易に実施できるようになっている。
【００２８】
このような本実施形態によれば、並設した複数のブロック材１０の外周端縁において、上内枠７および下内枠８が結合材２０を介して連結されるとともに、左右の縦内枠９が連結部材４０を介して連結され、このように内枠体６とブロック材１０とが一体化されることで、ブロック材１０同士およびブロック材１０と内枠体６との連結強度を向上させることができる。従って、パーティション１としての強度や剛性を向上させることができ、外力が作用した際の撓みや振動を抑制することができる。さらに、内枠体６とブロック材１０とが一体化されることで、予め建物躯体等に固定しておいた外枠体２に対し、一体化した内枠体６およびブロック材１０を建て込む施工手順が採用でき、運搬や建て込みの作業性を向上させることができる。
【００２９】
なお、本発明は、前記実施形態に限定されるものではなく、本発明の目的が達成できる他の構成等を含み、以下に示すような変形等も本発明に含まれる。
例えば、前記実施形態においては、ブロック材１０として、アクリル等の樹脂製ブロックを用いたが、これに限らず、ブロック材としては、ガラスブロックや木製ブロックなどであってもよいし、さらにはコンクリートブロックやモルタルなどでもよい。また、外枠体２は、建物躯体等に固定されるものに限らず、独立して立設されたものでもよい。さらには、外枠体２が省略されてもよく、この場合には、内枠体６が建物躯体等に直接固定される構成とすることができる。
【００３０】
また、前記実施形態では、ブロック材１０を上下左右に並設した構成を説明したが、本発明においてブロック材１０は、上下方向のみに並設されてもよく左右方向のみに並設されてもよい。すなわち、ブロック材１０が縦１列や横１列に並設されたものであってよい。また、ブロック材１０は、互いに上下左右に隣接して設置されるものに限らず、図１２に示すように、並設したブロック材１０の途中に開口Ｏを設けることもできる。この開口Ｏは、ブロック材１０と略同一寸法を有する開口枠ＯＷをブロック材１０に代えて設置することで構成されている。開口枠ＯＷは、開口上枠Ｗ１、開口下枠Ｗ２および左右の開口縦枠Ｗ３を四周枠組みして構成され、各枠材には、見付け方向外側に突出した２本の係合片Ｗ４が形成されている。これらの係合片Ｗ４は、ブロック材１０の係合部１９と連続する位置に形成されており、係合部１９と係合片Ｗ４とに跨って結合材２０を挿入することで、隣り合うブロック材１０と開口枠ＯＷとが連結されるようになっている。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３２】
１…パーティション（壁構造体）、２…外枠体、３…上外枠（外枠材）、４…下外枠（外枠材）、５…縦外枠（外枠材）、６…内枠体、７…上内枠、８…下内枠、９…縦内枠（枠材）、１０…ブロック材、１１…第１ブロック、１２…第２ブロック、１３…第１側面、１４…第２側面、１５…第１見込み面、１６…第２見込み面、１７…凸部、１８…凹部、１９…係合部、２０…結合材、３０…目地材、４０…連結部材、４２…連結係合片、４３…連結係止片、ビス４９（固着具）、５２…当接面部（当接片）、５５…アタッチメント（取付片）、１３１，１４１…突出片。
【図１】
2010203058.tif 000003
【図２】
2010203058.tif 000004
【図３】
2010203058.tif 000005
【図４】
2010203058.tif 000006
【図５】
2010203058.tif 000007
【図６】
2010203058.tif 000008
【図７】
2010203058.tif 000009
【図８】
2010203058.tif 000010
【図９】
2010203058.tif 000011
【図１０】
2010203058.tif 000012
【図１１】
2010203058.tif 000013
【図１２】
2010203058.tif 000014